(57)【要約】コンピュータプログラム製品を含む方法及び装置が、構成の更新を管理するために提供される。一部の例示的な実施形態では、少なくとも１つのプロセッサと、コンピュータプログラムコードを含む少なくとも１つのメモリとを含む装置が提供されてよく、少なくとも１つのメモリ及びコンピュータプログラムコードは、少なくとも１つのプロセッサと共に、装置に少なくとも、ホームネットワークが装置の以前の構成情報に変更を加えるかどうかに関するインディケーションを受信させ、受信したインディケーションが変更が加えられたことを表すときは、装置に記憶された以前の構成情報を削除させるように構成される。関連するシステム、方法、及び製品の物品についても記載する。【選択図】図２
2021525037.tif 000002
【特許請求の範囲】
【請求項１】
少なくとも１つのプロセッサと、
コンピュータプログラムコードを含む少なくとも１つのメモリと、
を備える装置であって、前記少なくとも１つメモリ及び前記コンピュータプログラムコードは、前記少なくとも１つのプロセッサと共に、前記装置に少なくとも、
ホームネットワークが、前記装置のための前記ホームネットワークに記憶されたネットワークスライス構成情報に変更を加えるかどうかに関するインディケーションを受信させ、
前記受信したインディケーションが前記変更が加えられたことを表すとき、前記装置に記憶されたネットワークスライス構成情報を削除させる、ように構成される、
前記装置。
【請求項２】
前記ホームネットワークに記憶された前記ネットワークスライス構成情報は、前記装置に記憶された前記ネットワークスライス構成情報とは異なる、請求項１に記載の装置。
【請求項３】
前記装置はさらに、少なくとも
前記受信したインディケーションが前記変更が加えられたことを表すとき、前記ホームネットワーク及び／または１つまたは複数の訪問先ネットワークに関連付けられた、前記装置に記憶されたネットワークスライス構成情報を削除する
ように引き起こされる、請求項１または２のいずれか一項に記載の装置。
【請求項４】
前記装置はさらに、少なくとも
前記インディケーションを含む、または前記インディケーションと共に、更新されたネットワークスライス構成情報を受信する
ように引き起こされる、請求項１〜３のいずれか一項に記載の装置。
【請求項５】
前記装置に記憶された前記ネットワークスライス構成情報の前記削除は、前記ホームネットワークまたは訪問先ネットワークのうちの少なくとも１つに関連付けられた前記ネットワークスライス構成情報の削除を含む、請求項１〜４のいずれか一項に記載の装置。
【請求項６】
前記ネットワークスライス構成情報は、少なくとも１つのネットワークスライス識別子を含む、請求項１〜５のいずれか一項に記載の装置。
【請求項７】
前記削除は、前記装置が、少なくとも前記装置に現在サービスを提供している前記訪問先ネットワーク及び／または前記ホームネットワークの更新されたネットワークスライス構成情報を取得することを可能にする、請求項５または６のいずれか一項に記載の装置。
【請求項８】
前記装置はさらに、少なくとも
前記ホームネットワークに関連付けられた前記変更を表す前記インディケーションが受信されたとき、前記削除されたネットワークスライス構成情報を置き換えるために、少なくとも１つの他の訪問先ネットワークの更新されたネットワークスライス構成情報を受信する
ように引き起こされる、請求項１〜７のいずれか一項に記載の装置。
【請求項９】
前記装置はさらに、少なくとも、
前記受信したネットワークスライス構成情報を取得した後、更新されたユーザ機器ルート及びアクセス選択ポリシーが受信されるまで、前記更新されたネットワークスライス構成情報を取得するための登録を実行することを待つ
ように構成される、請求項８に記載の装置。
【請求項１０】
前記装置はさらに、少なくとも
前記ホームネットワークに関連付けられた前記変更を表す前記インディケーションが受信されるとき、前記訪問先ネットワークのネットワークスライス構成情報を更新し、
前記ホームネットワークに関連付けられた前記変更が加えられたことを表すインディケーションが受信されないとき、前記訪問先ネットワークのネットワークスライス構成情報のみを更新する
ように引き起こされる、請求項５〜９のいずれか一項に記載の装置。
【請求項１１】
前記インディケーションは、前記ホームネットワークが、前記ユーザ機器に現在サービスを提供している前記訪問先ネットワークに、前記ホームネットワークの前記変更が前記訪問先ネットワークで前記装置を構成するために考慮されることになると示すことを表す、請求項５〜１０のいずれか一項に記載の装置。
【請求項１２】
ユーザ機器で、ホームネットワークが、前記ユーザ機器のための前記ホームネットワークに記憶されたネットワークスライス構成情報に変更を加えるかどうかに関するインディケーションを受信することと、
前記受信したインディケーションが前記変更が加えられたことを表すとき、前記ユーザ機器に記憶されたネットワークスライス構成情報を削除することと、
を備える、方法。
【請求項１３】
前記ホームネットワークに記憶された前記ネットワークスライス構成情報は、前記ユーザ機器に記憶された前記ネットワークスライス構成情報とは異なる、請求項１２に記載の方法。
【請求項１４】
削除することは、前記受信したインディケーションが前記変更が加えられたことを表すとき、前記ホームネットワーク及び／または１つまたは複数の訪問先ネットワークに関連付けられた、前記ユーザ機器に記憶されたネットワークスライス構成情報を削除することを備える、請求項１２または１３のいずれか一項に記載の方法。
【請求項１５】
前記インディケーションを含む、または前記インディケーションと共に、更新されたネットワークスライス構成情報を受信すること
をさらに備える、請求項１２〜１４のいずれか一項に記載の方法。
【請求項１６】
前記ネットワークスライス構成情報を前記削除することは、前記ホームネットワークまたは訪問先ネットワークの少なくとも１つに関連付けられた前記ネットワークスライス構成情報を削除することを含む、請求項１２〜１５のいずれか一項に記載の方法。
【請求項１７】
前記ユーザ機器に記憶された前記ネットワークスライス構成情報は、少なくとも１つのネットワークスライス識別子を含む、請求項１２〜１６のいずれか一項に記載の方法。
【請求項１８】
前記削除することは、少なくとも前記ユーザ機器に現在サービスを提供している前記訪問先ネットワーク及び／または前記ホームネットワークの更新されたネットワークスライス構成情報を取得することを可能にする、請求項１２〜１７のいずれか一項に記載の方法。
【請求項１９】
前記ホームネットワークに関連付けられた前記変更を表す前記インディケーションが受信されたとき、前記削除されたネットワークスライス構成情報を置き換えるために、少なくとも１つの他の訪問先ネットワークの更新されたネットワークスライス構成情報を受信すること
をさらに含む、請求項１２〜１８のいずれか一項に記載の方法。
【請求項２０】
前記受信したネットワークスライス構成情報を取得した後、更新されたユーザ機器ルート及びアクセス選択ポリシーが受信されるまで、前記更新されたネットワークスライス構成情報を取得するための登録を実行することを待つこと
をさらに含む、請求項１９に記載の方法。
【請求項２１】
前記ホームネットワークに関連付けられた前記変更を表す前記インディケーションが受信されたとき、前記訪問先ネットワークのための前記ユーザ機器に記憶された前記ネットワークスライス構成情報を更新することと、
前記ホームネットワークに関連付けられた前記変更が加えられたことを表すインディケーションが受信されないとき、前記訪問先ネットワークのための前記ユーザ機器に記憶された前記ネットワークスライス構成情報のみを更新することと、
をさらに含む、請求項１２〜２０のいずれか一項に記載の方法。
【請求項２２】
前記インディケーションが、前記ホームネットワークが、前記ユーザ機器に現在サービスを提供している前記訪問先ネットワークに、前記ホームネットワークの前記変更が前記訪問先ネットワークで前記ユーザ機器を構成するために考慮されることになると示すことを表す、請求項１２〜２１のいずれか一項に記載の方法。
【請求項２３】
ホームネットワークが、前記装置のための前記ホームネットワークに記憶されたネットワークスライス構成情報に変更を加えるかどうかに関するインディケーションを受信する手段と、
前記受信したインディケーションが前記変更が加えられたことを表すとき、前記装置に記憶されたネットワークスライス構成情報を削除する手段と、
を備える、装置。
【請求項２４】
請求項１３〜２２のいずれか一項に記載の方法を実行する手段をさらに備える、請求項２３に記載の装置。
【請求項２５】
プログラムコードを含む非一時的コンピュータ可読媒体であって、実行されるとき、
ユーザ機器で、ホームネットワークが、前記ユーザ機器のための前記ホームネットワークに記憶されたネットワークスライス構成情報に変更を加えるかどうかに関するインディケーションを受信することと、
前記受信したインディケーションが前記変更が加えられたことを表すとき、前記ユーザ機器に記憶されたネットワークスライス構成情報を削除することと、
を備える操作を引き起こす、前記非一時的コンピュータ可読媒体。
【請求項２６】
少なくとも１つのプロセッサと、
コンピュータプログラムコードを含む少なくとも１つのメモリと
を備える装置であって、前記少なくとも１つのメモリ及び前記コンピュータプログラムコードは、前記少なくとも１つのプロセッサと共に、前記装置に、少なくとも、
ユーザ機器のためのホームネットワークに記憶されたネットワークスライス構成情報に変更が加えられたかどうかを判定させ、
前記ユーザ機器のための前記ホームネットワークに記憶された前記ネットワークスライス構成情報に前記変更が加えられたかどうかに関するインディケーションを前記ユーザ機器に提供させる、ように構成される、
前記装置。
【請求項２７】
前記少なくとも１つのメモリ及び前記コンピュータプログラムコードは、前記少なくとも１つプロセッサと共に、前記装置に、少なくとも、
前記ホームネットワークに記憶された前記ネットワークスライス構成情報への前記変更の前記インディケーションと共に、更新されたネットワークスライス構成情報を前記ユーザ機器に提供させる、ように構成される、
請求項２６に記載の装置。
【請求項２８】
ユーザ機器のためのホームネットワークに記憶されたネットワークスライス構成情報に変更が加えられたと判定することと、
前記ユーザ機器のための前記ホームネットワークに記憶された前記ネットワークスライス構成情報に前記変更が加えられたこと関するインディケーションを前記ユーザ機器に提供することと、
を備える、方法。
【請求項２９】
前記ホームネットワークに記憶された前記ネットワークスライス構成情報への前記変更の前記インディケーションとともに、更新されたネットワークスライス構成情報を前記ユーザ機器に提供すること
をさらに含む、請求項２８に記載の方法。
【請求項３０】
ユーザ機器のためのホームネットワークに記憶されたネットワークスライス構成情報に変更が加えられたことを判定する手段と、
前記ユーザ機器のための前記ホームネットワークに記憶された前記ネットワークスライス構成情報への前記変更に関するインディケーションを前記ユーザ機器に提供する手段と
を備える、装置。
【請求項３１】
前記ホームネットワークに記憶された前記ネットワークスライス構成情報への前記変更の前記インディケーションと共に、更新されたネットワークスライス構成情報を前記ユーザ機器に提供する手段
をさらに備える、請求項３０に記載の装置。
【請求項３２】
プログラムコードを含む非一時的コンピュータ可読媒体であって、実行されるとき、
ユーザ機器のためのホームネットワークに記憶されたネットワークスライス構成情報に変更が加えられたことを判定することと、
前記ユーザ機器のための前記ホームネットワークに記憶された前記ネットワークスライス構成情報への前記変更に関するインディケーションを前記ユーザ機器に提供することと、
を備える操作を引き起こす、前記非一時的コンピュータ可読媒体。
【請求項３３】
前記プログラムコードは、実行されるとき、
前記ホームネットワークに記憶された前記ネットワークスライス構成情報への前記変更の前記インディケーションと共に、更新されたネットワークスライス構成情報を前記ユーザ機器に提供すること
を備える操作を引き起こす、請求項３２に記載の非一時的コンピュータ可読媒体。
【発明の詳細な説明】
【技術分野】
【０００１】
関連出願の相互参照
本出願は、２０１８年５月２１日に出願された米国仮出願第６２／６７４，４６５号「Ｍａｎａｇｉｎｇ  ＶＰＬＭＮ  Ｃｏｎｆｉｇｕｒａｔｉｏｎ  Ｕｐｄａｔｅｓ  ｉｎ  ｔｈｅ  ＵＥ  Ｄｕｅ  ｔｏ  Ｈｏｍｅ  ＰＬＭＮ  Ｃｏｎｆｉｇｕｒａｔｉｏｎ  Ｃｈａｎｇｅｓ」の利益と優先権を主張し、その全内容はあらゆる目的のために参照によって本明細書に組み込まれる。
【０００２】
本明細書に記載の主題は、ワイヤレス技術に関する。
【背景技術】
【０００３】
第５世代（５Ｇ）システムを含むセルラーシステムは、帯域幅、待ち時間、信頼性の要件に関して幅広いユースケースと多様なニーズを有するアプリケーションを含む、増え続ける数のデバイスとサービスをサポートするので、セルラーシステムは、異なるサービス間の差別化をサポートするために、ワイヤレスアクセスネットワークとコアネットワーク全体のリソースに優先順位を付ける（及び／または、例えば、制御プレーンとユーザプレーン全体で優先順位を付ける）必要がある。
【発明の概要】
【０００４】
コンピュータプログラム製品を含む方法及び装置が、構成の更新を管理するために提供される。
【０００５】
一部の例示的な実施形態では、少なくとも１つのプロセッサと、コンピュータプログラムコードを含む少なくとも１つのメモリとを含む装置が提供されてよく、少なくとも１つのメモリ及びコンピュータプログラムコードは、少なくとも１つのプロセッサと共に、装置に少なくとも、ホームネットワークが装置の以前の構成情報に変更を加えるかどうかに関するインディケーションを受信させ、受信したインディケーションが変更が加えられたことを表すとき、装置に記憶された以前の構成情報を削除させるように構成される。
【０００６】
一部の変形例では、以下の特徴を含む本明細書に開示される特徴の１つまたは複数は、任意選択で、任意の実行可能な組み合わせに含むことができる。装置はさらに、インディケーションを含む構成情報を少なくとも受信するようにされてよい。以前の構成情報の削除は、ホームネットワーク及び訪問ネットワークに関連付けられた以前の構成情報の削除を含む。以前の構成情報の削除は、少なくとも１つのネットワークスライス識別子を含み得る。削除によって、装置は、少なくとも現在装置にサービスを提供している訪問ネットワーク及び／またはホームネットワークの更新された構成情報を取得可能になり得る。ホームネットワークに関連付けられた変更を表すインディケーションが受信されたとき、装置はさらに、削除された以前の構成情報を置き換えるために少なくとも１つの他の訪問ネットワークの更新された構成情報を少なくとも受信させてもよい。装置はさらに、受信された構成情報を取得した後、更新されたユーザ機器ルート及びアクセス選択ポリシーが受信されるまで、更新された構成情報を取得するための登録を実行するのを少なくとも待つように構成されてよい。装置はさらに、少なくとも、ホームネットワークに関連付けられた変更を表すインディケーションが受信されたとき、訪問ネットワークの構成情報を更新させ、ホームネットワークに関連付けられた変更が加えられたことを表すインディケーションが受信されないとき、訪問ネットワークの構成情報のみを更新させてもよい。インディケーションは、ホームネットワークが、現在ユーザ機器にサービスを提供している訪問ネットワークに、ホームネットワークの変更が装置を構成するために訪問ネットワークで考慮されるべきであることを示すことを表してよい。
【０００７】
上記の態様及び特徴は、所望の構成に応じて、システム、装置、方法、及び／または物品に実装されてよい。本明細書に記載される主題の１つまたは複数の変形の詳細が、添付の図面及び以下の記載で説明される。本明細書に記載される主題の特徴及び利点は、説明、図面、及び特許請求の範囲から明らかとなるであろう。
【０００８】
図面において、同様のラベルは、図面内の同じまたは類似のアイテムを参照するために使用される。
【図面の簡単な説明】
【０００９】
【図１】一部の例示的な実施形態による、５Ｇワイヤレスネットワークの一部分の例を示す。
【図２】一部の例示的な実施形態による、ＶＰＬＭＮ構成更新のためのプロセスフローの例を示す。
【図３】一部の例示的な実施形態による、ＶＰＬＭＮ構成更新のためのプロセスフローの別の例を示す。
【図４】一部の例示的な実施形態による、ネットワークノードの例を示す。
【図５】一部の例示的な実施形態による、装置の例を示す。
【発明を実施するための形態】
【００１０】
５Ｇシステムでは、ユーザ機器（ＵＥ）がホームパブリックランドモバイルネットワーク（ＨＰＬＭＮ）から訪問先パブリックランドモバイルネットワーク（ＶＰＬＭＮ）にローミングしている場合がある。この場合、ＵＥは、例えば、ＶＰＬＭＮで利用可能な１つまたは複数のサービスへのアクセスを有効にするために、ＶＰＬＭＮで使用するための構成情報を有し得る。ＵＥの構成情報は、例えばＶＰＬＭＮでのローカル決定により変更される場合がある。代替的または追加的に、ＵＥの構成情報は、例えば、ＨＰＬＭＮでのＵＥのサブスクリプション情報の変更によって変更され得る。
【００１１】
さらに説明すると、ＵＥは、ＵＥの構成情報に基づいて、ＨＰＬＭＮ及び／またはＶＰＬＭＮのサービスにアクセスしてよく、ＵＥの構成情報は、許可された及び／または利用可能なサービスを示すサブスクリプション情報に基づいてよい。ＵＥのサブスクリプション情報は、例えば、ＨＰＬＭＮがＵＥのサブスクリプションに変更を加える、または変更を開始したために変更される場合があり、この場合、１つまたは複数のサービスのＶＰＬＭＮ関連の構成情報も更新してＨＰＬＭＮでの変更（複数可）と一貫性をもたせる必要がある。したがって、（ＨＰＬＭＮの統一データ管理（ＵＤＭ）ノードに記憶され得る）サブスクリプション情報の変更は、ＨＰＬＭＮ及び／またはＶＰＬＭＮで動作するためのＵＥの構成情報への変更をトリガし得る。
【００１２】
ＶＰＬＭＮとＨＰＬＭＮの構成情報は、異なる値を有する場合があり、ＶＰＬＭＮ内でローカルに使用されている値をＨＰＬＭＮが認識せずに、ＶＰＬＭＮによってマッピングが確立される場合がある。例えば、ＨＰＬＭＮがＵＥのサブスクリプションを変更する場合、ＶＰＬＭＮはサブスクリプション関連情報を含む構成情報を個別に更新することが必要があり得るため、ＵＥは最新のＶＰＬＭＮ情報を有する。さらに説明すると、ＨＰＬＭＮのサブスクリプション情報は、ネットワークスライスのＱｏＳもしくは別の態様を変更し得る、または、特定のスライスにアクセスできるという事実を完全に変更し得る、または、サブスクリプションは、ＵＥが使用できる新しいスライスを含んでよい。この変更により、ＶＰＬＭＮを使用するための構成情報に対応する変更がトリガされてよい。
【００１３】
例えば、ＵＥのサブスクリプションの変更に関してＨＰＬＭＮ構成が変更された場合、ＵＥのサブスクリプションに関するＶＰＬＭＮ構成の更新が必要になる場合がある。ＵＥがＶＰＬＭＮに登録されている間、ＨＰＬＭＮはＶＰＬＭＮに更新のための構成情報をプッシュしてよい（構成情報は、前述のように、ＵＤＭ（ＵＤＭは、この、及び他の構成及び／またはサブスクリプション情報を記憶するためのレポジトリとして機能してよい）などのネットワークノードに記憶される）。ただし、ＵＥが別のＶＰＬＭＮを訪問しているとき、新しいＶＰＬＭＮはＵＥの最新の構成またはサブスクリプション情報を受信してよいが、ＶＰＬＭＮにはＵＥの構成またはサブスクリプション情報の状態情報を有していない場合があるため、情報が変更を表しているかどうかをＶＰＬＭＮが検出できない可能性があり、よって、ＵＥが変更または更新をトリガしない場合がある。
【００１４】
一部の例示的な実施形態では、ＵＥが、ＵＥのサブスクリプションに関連する情報（例えば、ネットワークスライス選択支援情報（ＮＳＳＡＩ）等のネットワークスライス識別子）を含む構成情報の更新を受信するとき、ＵＥは、更新の原因コードなどのインディケーションも受信してよい。更新がＶＰＬＭＮのローカルな変更によるものである場合、ＵＥは、ＶＰＬＭＮ関連情報を更新してよく、その情報をＵＥに記憶し続ける。
【００１５】
ただし、原因コードなどのインジケータが、更新がＵＥのサブスクリプションなどのＨＰＬＭＮ構成の変更によるものであることを表す場合、ＵＥは受信した更新をＶＰＬＭＮ構成への変更及びＨＰＬＭＮ構成への変更として記憶してよい。他の一部の（全てではないにしても）ＶＰＬＭＮ構成の場合、これらが、ＨＰＬＭＮ構成の変更により、無効な可能性があることをＵＥは記録または示してよい。
【００１６】
さらに、原因コードなどのインジケータが更新はＨＰＬＭＮ構成の変更によるものであることを表すとき、ＵＥが他のＶＰＬＭＮにアクセスすると、ＵＥはＶＰＬＭＮからの初期構成情報（例えば、ＵＥが初めてＶＰＬＭＮにアクセスしたかのような初期構成情報）を必要とするかのように動作する場合がある。例えば、ＵＥは、ＶＰＬＭＮ（複数可）の全てのＵＥ構成情報を削除（例えば、除去、リセットなど）してよい。ネットワークスライシングＶＰＬＭＮ構成の場合、ＵＥは、例えば、ＰＬＭＮ用に構成されたＮＳＳＡＩ及びＨＰＬＭＮ用に構成されたＮＳＳＡＩのＳ−ＮＳＳＡＩへのそのマッピング、許可されたＮＳＳＡＩ及びＨＰＬＭＮ用に構成されたＮＳＳＡＩのＳ−ＮＳＳＡＩへのそのマッピング、ＰＬＭＮのあらゆる拒否されたＳ−ＮＳＳＡＩを除去してよい。この削除により、ＵＥは、登録手順を実行するときに初期構成を必要とするＵＥとしてネットワークに見え、ＵＥが登録の一部としてＶＰＬＭＮにアクセスすると、ネットワークはＵＥに初期構成を提供し得る。
【００１７】
さらに説明すると、原因コードなどのインジケータが、更新がＨＰＬＭＮ構成の変更によるものであることを表す場合、ＵＥは、前述のように、全てではないにしても一部の他のＶＰＬＭＮのネットワークスライシング構成情報などの特定の構成情報（例えば、上記のＮＳＳＡＩ）をローカルに削除してよい。したがって、ＵＥがこれらの他のＶＰＬＭＮで登録手順を実行するとき、ＵＥは、ＮＳＳＡＩ（複数可）の要求を送信せず、代わりに、ネットワークからＶＰＬＭＮの構成を受信してよい。この受信した構成情報は、ＶＰＬＭＮで使用してＨＰＬＭＮ値にマッピングするためのＳ−ＮＳＳＡＩなどのスライス識別子を含み得る。
【００１８】
一部の例示的な実施形態では、ＵＥは、サービスを提供しているＶＰＬＭＮで、ネットワークからＵＲＳＰ（ＵＥルート及びアクセス選択ポリシー）など、更新されたポリシーを待ってから、新しい登録手順を実行してよいが、これはＵＥのＳ−ＮＳＳＡＩへのサブスクリプションが変更されたとき、ＵＲＳＰも変更され得るためである。
【００１９】
図１は、一部の例示的な実施形態による、５Ｇワイヤレスネットワーク１００の一部分の例を示す。
【００２０】
５Ｇワイヤレスネットワーク１００は、基地局、ワイヤレスローカルエリアネットワークアクセスポイント、ホーム基地局、及び／または他のタイプのワイヤレスアクセスポイントなどのワイヤレスアクセスポイントによってサービスを提供される無線アクセスネットワーク（ＲＡＮ）１５２に無線で結合するように構成されたユーザ機器（ＵＥ）１５０を含んでよい。
【００２１】
ネットワーク１００は、アクセス及びモビリティ管理機能（ＡＭＦ）１５４、訪問セッション管理機能（Ｖ−ＳＭＦ）１５６、訪問ポリシー制御機能（ｖ−ＰＣＦ）１６０、訪問ネットワークスライス選択機能（ｖ−ＮＳＳＦ）１６４、及び／または訪問先ユーザプレーン機能（Ｖ−ＵＰＦ）１５８を含み得るコアネットワークを含んでよい。図１の例では、デバイス１５２〜１６４は、訪問先パブリックランドモバイルネットワーク（ＶＰＬＭＮ）１６６に関連付けられてよい。
【００２２】
ネットワーク１００及び／またはコアネットワークは、ホームパブリックランドモバイルネットワーク（ＨＰＬＭＮ）１７０をサポートする機能を有するデバイスも含んでよい。例えば、ＨＰＬＭＮ１７０内のこれらのデバイスは、「ホーム」ワイヤレスローカルエリアネットワーク（ＷＬＡＮ）アクセス、オフロード、及び／または非３ＧＰＰアクセスのためのデバイス及び対応する機能を含んでよい。これらのデバイスは、ホームＳＭＦ１７２、ホームＰＣＦ１７４、ホームＮＳＳＦ１７６、統合データ管理１７８、認証サーバ機能（ＡＵＳＦ）１８０、アプリケーション機能（ＡＦ）１８２、ホームユーザプレーン機能（Ｈ−ＵＰＦ）１８４、及びデータネットワーク（ＤＮ）１８６を含んでよい。
【００２３】
図１はまた、Ｎ１、Ｎ２、Ｎ３、Ｎ４、Ｎ６、Ｎ７、Ｎ１１、Ｎ１５、Ｎ１８、Ｎ２４などのサービスインタフェースを示す。アーキテクチャ、ノード（ＡＭＦ、Ｖ−ＰＣＦ、Ｈ−ＰＣＦ、Ｈ−ＳＭＦ、Ｖ−ＳＭＦ、及び図１に示す他のデバイスを含む）、及びサービスインタフェースは、３ＧＰＰ  ＴＳ  ２３．５０１等の規格に従って規定されてよいが、他の規格や独自インタフェースを使用してもよい。
【００２４】
ネットワークスライスとは、特定のネットワーク機能とネットワーク特性を提供する論理ネットワークを指す。ネットワークスライスは、動的に作成できる論理的なエンドツーエンドネットワークと見なされてよいので、所与のＵＥは、同じ無線アクセスネットワークを介して（例えば、同じ無線インタフェースを介して）異なるネットワークスライスにアクセスし得る。ネットワークスライスは、様々なサービスを提供し、及び／または様々なＱｏＳニーズ／要件を有することができる。５Ｇシステムのシステムアーキテクチャ３ＧＰＰ  ＴＳ  ２３．５０１で、ネットワークスライスの例を記載する。
【００２５】
ＵＥのサブスクリプション情報は、ネットワークスライスの量、ＱｏＳタイプ、及び／またはアイデンティティに関連する構成情報を示し得る。ＵＥの構成情報（ＶＰＬＭＮ及び／またはＨＰＬＭＮなどのＰＬＭＮに登録するときにネットワークによって提供される）は、１つまたは複数の単一ＮＳＳＡＩ（Ｓ−ＮＳＳＡＩ）などの１つまたは複数のネットワークスライス識別子を含み得る。Ｓ−ＮＳＳＡＩは、次のものから構成されてよいａ）スライス／サービスタイプ（ＳＳＴ）、これは、機能とサービスの観点から予測されるネットワークスライスの動作を指す、及び／またはｂ）スライス区別情報（ＳＤ）、これは、スライス／サービスタイプ（複数可）を補完して、同じスライス／サービスタイプの複数のネットワークスライスを区別するオプションの情報である。
【００２６】
図２は、一部の例示的な実施形態による、プロセス２００の例を示す。図２の説明は、図１も参照する。
【００２７】
一部の例示的な実施形態によると、２０５で、ユーザ機器１５０は、ネットワークから、構成情報、及び／または構成情報が（ＵＥに現在サービスを提供している）ＶＰＬＭＮにローカルな更新もしくは修正などの変更を表すかどうか、またはＨＰＬＭＮに関連付けられた変更を表すかどうかに関するインディケーションを受信し得る。一部の例示的な実施形態では、構成情報は、登録承諾などのメッセージまたはＵＥ構成更新メッセージで受信されてよい。インディケーションは、構成情報に含まれるか、またはＵＥに個別に通知されてよい。インディケーションの存在は、ＵＥのＨＰＬＭＮが、ＶＰＬＭＮでのＵＥの構成に適用する必要のある構成変更を行ったことを示している場合がある。一部の実施形態では、インディケーション（または、インディケーションがないこと）は、他のＶＰＬＭＮ（またはＨＰＬＭＮ）ではなく、現在サービスを提供しているＶＰＬＭＮでのＵＥの構成のみに影響を与えるように、ＵＥの構成情報をローカルで更新すべきであることを示す場合がある。一部の例示的な実施形態では、インディケーションは構成情報に含まれる。例えば、構成情報は、現在サービスを提供しているＶＰＬＭＮの構成情報を表してよく、ＵＥの構成情報に変更が必要かどうかをＵＥに通知するためのインディケーションを含んでよい。代替的または追加的に、インディケーションは、構成情報とは別にＵＥに提供されてよい。
【００２８】
インディケーションが、（例えば、ＵＥのサブスクリプション情報の変更によって引き起こされ得る）ＨＰＬＭＮ構成の変更を表すとき、ＵＥは、ＵＥにローカルに記憶された以前の構成情報を削除してよい（例えば、２０８、２１０において）。削除される構成情報は、ＰＬＭＮ用に構成されたＮＳＳＡＩ及びＰＬＭＮ用に構成されたＮＳＳＡＩからＨＬＭＮ用に構成されたＮＳＳＡＩのＳ−ＮＳＳＡＩへのマッピング、許可されたＮＳＳＡＩ及び許可されたＮＳＳＡＩからＨＰＬＭＮ用に構成されたＮＳＳＡＩのＳ−ＮＳＳＡＩへのマッピング、ＰＬＭＮのあらゆる拒否されたＳ−ＮＳＳＡＩなど、ネットワークスライシング構成情報を含んでよい。さらに、削除される構成情報は、全てではないにしても、一部の他のＶＰＬＭＮのための構成情報であってよい。例えば、ＵＥは、全てのＶＰＬＭＮについて記憶された以前に記憶されたネットワークスライシング構成情報を削除してよい。より具体的には、ＵＥは、現在サービスを提供しているＶＰＬＭＮについて２０５で受信したあらゆる「現在の」構成を保持しながら、他の全てのＰＬＭＮのスライシング情報を削除してよい。
【００２９】
ネットワークへの登録中、ＵＥ１５０は、別のＶＰＬＭＮに登録してよく、その場合、インディケーションがＨＰＬＭＮ構成の変更を表すとき、ＵＥは、ＮＳＳＡＩ（複数可）の要求を送信せず、代わりに、２２０で、ネットワークから、ＶＰＬＭＮのネットワークスライシング構成情報を含む構成情報を受信してよい。この構成情報は、ＶＰＬＭＮで使用するためのＳ−ＮＳＳＡＩなどのスライス識別子と、そのスライス識別子のＨＰＬＭＮで使用される値へのマッピングとを含んでよい。
【００３０】
一部の例示的な実施形態では、Ｓ−ＮＳＳＡＩへのＵＥのサブスクリプションが変更されたとき、ＵＲＳＰ（ＵＥルート及びアクセス選択ポリシー）も変更され得るので、ＵＥは、サービスを提供しているＰＬＭＮにおいて、ネットワークからＵＲＳＰなどの更新されたポリシーを待ってから、２２０で新しい登録手順を実行してよい。
【００３１】
インディケーションがローカルのＶＰＬＭＮ構成変更を表すとき、ＵＥは、他のＰＬＭＮの構成に影響を与える（例えば、削除、更新など）ことなく、サービスを提供しているＶＰＬＭＮのネットワークスライシング情報を含む記憶された構成情報を更新してよい（２０８、２３０で、いいえ）。一部の例示的な実施形態では、ＵＥは、ＵＥの構成変更が、インディケーションを受信しないことに基づいてローカルなものであると判定してよい。
【００３２】
図３は、一部の例示的な実施形態による、プロセス３００の例を示す。図３の説明は、図１も参照する。
【００３３】
一部の例示的な実施形態によると、３１０で、基地局１５２などのネットワークノードは、構成情報、及び／または構成情報が、ＶＰＬＭＮにローカルな更新もしくは修正などの変更を表すかどうか、または、ＨＰＬＭＮに関連付けられた変更を表すかどうかに関するインディケーションをＡＭＦ１５４から受信してよい。３２０で、ネットワークノードは、構成情報、及び／または構成情報が、ＶＰＬＭＮにローカルな更新もしくは修正などの変更が加えられたことを表すかどうか、またはＨＰＬＭＮに関連付けられた変更を表すかどうかに関するインディケーションをＵＥ１５０に提供してよい。
【００３４】
一部の例示的な実施形態では、ＡＭＦ１５４などのＡＭＦがＵＥ１５０を更新するとき、ＡＭＦは、更新がサブスクライブされたＳ−ＮＳＳＡＩの変更によるものであるかどうかを（基地局１５２を介して）ＵＥに示してよい。ＡＭＦが、ＵＤＭ１７８から更新されたデータを受信するため、または、ＡＭＦが、ＵＥのネットワークスライシングサブスクリプションが変更されたというインディケーションをＵＤＭから受信するため、ＡＭＦは、この更新または変更を検出し得る。
【００３５】
ネットワークスライシングサブスクリプション情報が変更されたことがＵＥに通知された場合、ＵＥは、前述のように、ＵＥが他の全てのＰＬＭＮに関して有するネットワークスライシング情報をローカルで削除してよい（すなわち、ＵＥが、他のＰＬＭＮに登録するとき、要求されたＮＳＳＡＩを送信せず、サービスを提供しているＰＬＭＮが、サービスを提供しているＰＬＭＮのＵＥ構成を更新してよい）。また、ＵＥは、任意の受信した値で現在のＰＬＭＮ情報を更新する。また、ＵＲＳＰが必要な場合は、新しい登録手順を実行する前に、更新されたＵＲＳＰ（ＵＥルート及びアクセス選択ポリシー）を待つ。
【００３６】
一部の例示的な実施形態では、サブスクライブされたＳ−ＮＳＳＡＩが変更され、変更時にＵＥに到達できない場合、ユニバーサルデータリポジトリ（ＵＤＲ）フラグをＨＰＬＭＮに設定して、ＵＥが到達可能になり、ＵＥがＰＬＭＮにＡＭＦで登録するとき、サブスクリプションデータが更新されたＳ−ＮＳＳＡＩのセットを含むことがＡＭＦに通知されることを確実にしてよい。ＡＭＦはＵＥを正常に更新するので、ＵＥは、ＵＤＭ１７８を更新してこのフラグをリセットするＡＭＦへのインディケーションと共に登録するように要求されてよい。
【００３７】
さらに説明すると、Ｓ−ＮＳＳＡＩ（ＨＰＬＭＮ用に構成されたＮＳＳＡＩにあってよい）は、それらがＵＥに提供されるときに、ＵＥ用にサブスクライブされたＳ−ＮＳＳＡＩと一致し得る。サブスクライブされたＳ−ＮＳＳＡＩ（複数可）が、ＵＥ１５０が登録されているサービスを提供しているＰＬＭＮに対して（例えば、古いＳ−ＮＳＳＡＩを除去する、及び／または新しいＳ−ＮＳＳＡＩを追加することによって）更新されると、ＡＭＦ１５４は（「（Ｒ）ＡＮ」とラベル付けされた基地局１５２を介して）ＵＥを、サービスを提供しているＶＰＬＭＮ用に構成されたＮＳＳＡＩ、許可されたＮＳＳＡＩ、及び／またはＨＰＬＭＮ用に構成されたＮＳＳＡＩに関連するマッピングで更新してよい。ただし、上記のように、現在サービスを提供しているＶＰＬＭＮ用に構成されたＮＳＳＡＩのみが、新しいサブスクリプション情報と一致するように更新される。そのため、ＵＥがＨＰＬＭＮとは異なる別のＶＰＬＭＮにアクセスし、このＶＰＬＭＮ用に構成されたＮＳＳＡＩが記憶されている場合、この情報は古くなる。ＵＥは、現在サービスを提供しているＶＰＬＭＮに加えて、幾つかのＶＰＬＭＮ用に構成されたＮＳＳＡＩを記憶し得るので、ＵＥは、これらのＶＰＬＭＮに戻るときに、構成されたＮＳＳＡＩを用いて構成することが必要ない場合がある。
【００３８】
サービスを提供しているＰＬＭＮ用に構成されたＮＳＳＡＩは、Ｓ−ＮＳＳＡＩ値を含み、Ｓ−ＮＳＳＡＩ値は、サービスを提供しているＰＬＭＮで使用することができ、ＨＰＬＭＮ用に構成されたＮＳＳＡＩの１つまたは複数の対応するＳ−ＮＳＳＡＩ値への構成されたＮＳＳＡＩの各Ｓ−ＮＳＳＡＩのマッピングに関連付けられてよい。登録時に、要求されたＮＳＳＡＩをネットワークに提供するとき、所与のＰＬＭＮのＵＥは、このＰＬＭＮに適用されるＳ−ＮＳＳＡＩを含んでよく、かつ、使用してよい（これは、このＰＬＭＮに適用可能な構成済み及び／または許可済みのＮＳＳＡＩの一部であるＨＰＬＭＮ用に構成されたＮＳＳＡＩのＳ−ＮＳＳＡＩへの要求されたＮＳＳＡＩの各Ｓ−ＮＳＳＡＩのマッピングを含んでよい、及び／または関連付けられてよい）。無線アクセスタイプを介したＵＥの登録手順が正常に完了すると、ＵＥは、このアクセスタイプに対して許可されたＮＳＳＡＩを取得してよく、許可されたＮＳＳＡＩは、ＡＭＦからの１つまたは複数のＳ−ＮＳＳＡＩを含む（これは、許可されたＮＳＳＡＩからＨＰＬＭＮ用に構成されたＮＳＳＡＩへのマッピングに関連付けることを含んでよい）。これらのＳ−ＮＳＳＡＩは、ＵＥが登録したＡＭＦによって提供される現在の登録エリアとアクセスタイプに対して有効であり、（所与の数の同時ネットワークスライスまたはＰＤＵセッションまで）ＵＥによって使用されてよい。
【００３９】
ＵＥが、ＰＬＭＮ用に構成されたＮＳＳＡＩ及び／またはこの構成されたＮＳＳＡＩからＨＰＬＭＮ用に構成されたＮＳＳＡＩへの関連するマッピングでプロビジョニングされるとき、両方の構成されたＮＳＳＡＩ（及び／または存在する場合は、関連するマッピング）は、このＰＬＭＮ用に新しく構成されたＮＳＳＡＩ（及び／または関連するマッピング）がＵＥにプロビジョニングされるまでＵＥに記憶されてよい。
【００４０】
ＵＥが、ＰＬＭＮ用に新しく構成されたＮＳＳＡＩ（及び／またはこの構成されたＮＳＳＡＩからＨＰＬＭＮ用に構成されたＮＳＳＡＩへの新しい関連するマッピング）でプロビジョニングされるとき、ＵＥは、前述のように、このＰＬＭＮ用に記憶された（古い）構成済みＮＳＳＡＩをこのＰＬＭＮ用に新しく構成されたＮＳＳＡＩで置き換えてよく、ＵＥは、このＰＬＭＮ用のこの古い構成済みＮＳＳＡＩからＨＰＬＭＮ用の構成済みＮＳＳＡＩへのあらゆる記憶された関連するマッピングを削除し、存在する場合は、この新しい構成済みＮＳＳＡＩからＨＰＬＭＮ用に構成されたＮＳＳＡＩへの関連するマッピングを記憶してよく、また、ＵＥは、記憶されている許可済みＮＳＳＡＩ及び関連するマッピングと、このＰＬＭＮ用の拒否されたＳ−ＮＳＳＡＩとを削除してよい。
【００４１】
ＵＥは、別のＰＬＭＮに登録するときでさえ、ＰＬＭＮ用の受信した構成済みＮＳＳＡＩと、ＨＰＬＭＮ用に構成されたＮＳＳＡＩへの関連するマッピングを記憶し続けてよい。ただし、ＨＰＬＭＮ以外のＰＬＭＮ用にＵＥに記憶し続ける構成済みＮＳＳＡＩ及び関連するマッピングの数は、ＵＥの実装次第であってよい。
【００４２】
ＶＰＬＭＮが、（例えば、サブスクライブされたＳ−ＮＳＳＡＩ（複数可）の変更のため）ＶＰＬＭＮに登録されたＵＥの構成更新を実行する場合、これにより、サービスを提供しているＰＬＭＮ用に構成されたＮＳＳＡＩ及び／またはサービスを提供しているＰＬＭＮ用に構成されたＮＳＳＡＩからＨＰＬＭＮ用に構成されたＮＳＳＡＩへの関連するマッピングに対する更新が起こってよい。構成の更新が現在許可されているＮＳＳＡＩのＳ−ＮＳＳＡＩ（複数可）に影響を与える場合、許可されたＮＳＳＡＩ及び／または許可されたＮＳＳＡＩからＨＰＬＭＮ用に構成されたＮＳＳＡＩへの関連するマッピングへの更新が実施されてよい。
【００４３】
構成されたＮＳＳＡＩが変更されるとき、ＵＥは、現在のＰＬＭＮ用に構成されたＮＳＳＡＩのみを置き換えてよい。これは、変更がＶＰＬＭＮ用のＶＰＬＭＮ決定によるものであるときの正しい動作である。ただし、変更がサブスクリプションの変更によるものであるとき、他のＰＬＭＮのための記憶された（ＳＴＯＲＥＤ）構成済みＮＳＳＡＩと、ＨＰＬＭＮ用に構成されたＮＳＳＡＩのＳ−ＮＳＳＡＩ値へのマッピングも無効で古くなる。ただし、他のＰＬＭＮのＡＭＦは更新された構成を受信していない場合がある（また、他のＰＬＭＮもこの変更を認識していない）ので、これらのＰＬＭＮは、サブスクリプションの変更による構成済みＮＳＳＡＩの変更をトリガしない。これは、これらのＰＬＭＮに戻るときにＵＥが適切に構成されないことを意味する。
【００４４】
要求されたＮＳＳＡＩが含まれていなかったとき、またはＳ−ＮＳＳＡＩがＰＬＭＮで拒否されたとき、ＡＭＦはＰＬＭＮのＵＥスライス構成情報を更新してよい。
【００４５】
ＵＥは、ＶＰＬＭＮ用の構成がないとき、要求されたＮＳＳＡＩをＶＰＬＭＮ登録要求に含めない場合がある。その場合、ＶＰＬＭＮは、該当する場合、ＰＬＭＮ用に構成されたＮＳＳＡＩを使用してＵＥを構成してよい。ＰＬＭＮがＵＥ用に構成されたＮＳＳＡＩを更新するとき、ＰＬＭＮは、前述のように、変更がローカルの構成変更によるものかどうか、または、ＨＰＬＭＮ構成の変更によるものかどうかをＵＥに明示的に示してよい。変更がＨＰＬＭＮ構成の変更によるものである場合、（１）ＵＥは、他の全てのＰＬＭＮに関して有するネットワークスライシング構成情報をローカルで削除してよく、Ｓ−ＮＳＳＡＩへのＥＵのサブスクリプションが変更されるとき、ＵＲＳＰも変更されるので、更新されたＵＲＳＰを待ってから、新しい登録手順を実行してよい。また、変更がローカルのサービスを提供しているＰＬＭＮの理由のみによるものである場合、ＵＥは、他のＰＬＭＮの構成に影響を与えることなく、サービスを提供しているＰＬＭＮの情報を更新してよい。
【００４６】
前述のように、ＵＥは、ネットワークスライス構成情報を使用してＨＰＬＭＮによって構成されてよい。例えば、ＨＰＬＭＮは、構成情報をＵＤＭにプッシュしてよく、構成情報は、ＡＭＦ及び基地局を介してＵＥに提供されてよい。ネットワークスライス構成情報は、１つまたは複数の構成済みＮＳＳＡＩ（複数可）を含み得る。構成済みＮＳＳＡＩは、１つのＰＬＭＮまたは特定の構成済みＮＳＳＡＩを持たない全てのＰＬＭＮのいずれかに適用されてよい（例えば、これは、標準値を持つＳ−ＮＳＳＡＩのみを含むＮＳＳＡＩで可能ある。例えば、３ＧＰＰ  ＴＳ  ２３．５０１、５．１５.２．１節を参照）。ＰＬＭＮごとに最大１つのＮＳＳＡＩが構成される。ＰＬＭＮの構成されたＮＳＳＡＩは、標準値またはＰＬＭＮ固有の値を有するＳ−ＮＳＳＡＩを含み得る。サービスを提供しているＰＬＭＮ用に構成されたＮＳＳＡＩは、Ｓ−ＮＳＳＡＩ値を含んでよく、Ｓ−ＮＳＳＡＩ値は、サービスを提供しているＰＬＭＮで使用することができ、構成されたＮＳＳＡＩの各Ｓ−ＮＳＳＡＩからＨＰＬＭＮ用に構成されたＮＳＳＡＩの１つまたは複数の対応するＳ−ＮＳＳＡＩ値へのマッピングに関連付けられてよい。
【００４７】
ＨＰＬＭＮ用に構成されたＮＳＳＡＩのＳ−ＮＳＳＡＩは、それらがＵＥに提供されるときに、前述のように、ＵＥ用にサブスクライブされたＳ−ＮＳＳＡＩと一致し得る。サブスクライブされたＳ−ＮＳＳＡＩ（複数可）が更新され（例えば、古いものを除去及び／または新しいものを追加）、ＵＥが登録されているサービスを提供しているＰＬＭＮに適用できる場合、ＡＭＦは、サービスを提供しているＰＬＭＮの構成されたＮＳＳＡＩ及び／または許可されたＮＳＳＡＩ及び／またはＨＰＬＭＮ用に構成されたＮＳＳＡＩとの関連するマッピングでＵＥを更新してよい。
【００４８】
ＵＥが、登録時に要求されたＮＳＳＡＩをネットワークに提供するとき、所与のＰＬＭＮでＵＥは、このＰＬＭＮに適用可能なＳ−ＮＳＳＡＩを含み、使用するのみでよく（また、場合によっては、このＰＬＭＮに適用可能な構成済み及び／または許可済みのＮＳＳＡＩの一部であるＨＰＬＭＮ用に構成されたＮＳＳＡＩのＳ−ＮＳＳＡＩへの要求されたＮＳＳＡＩの各Ｓ−ＮＳＳＡＩからのマッピングに関連付けられてよい）。アクセスタイプを介したＵＥの登録手順が正常に完了すると、ＵＥは、このアクセスタイプの許可されたＮＳＳＡＩを取得してよく、許可されたＮＳＳＡＩは、場合によっては、許可されたＮＳＳＡＩからＨＰＬＭＮ用に構成されたＮＳＳＡＩへのマッピングに関連付けられた、ＡＭＦからの１つまたは複数のＳ−ＮＳＳＡＩを含む。これらのＳ−ＮＳＳＡＩは、ＵＥが登録したＡＭＦによって提供される現在の登録エリアとアクセスタイプに対して有効であってよく、（同時ネットワークスライスまたはＰＤＵセッションの最大数まで）ＵＥによって同時に使用されてよい。ＵＥは、ＡＭＦからの拒否の原因と妥当性と共に、１つまたは複数の拒否されたＳ−ＮＳＳＡＩを取得する場合もある。Ｓ−ＮＳＳＡＩは、ＰＬＭＮ全体に対して、または、現在の登録エリアに対して拒否される場合がある。
【００４９】
ＵＥはＰＬＭＮでアクセスタイプに関係なくＲＭ−ＲＥＧＩＳＴＥＲＥＤのままであり、この拒否されたＳ−ＮＳＳＡＩが削除されるまで、ＵＥはＰＬＭＮ全体に対して拒否されたＳ−ＮＳＳＡＩへの登録を再試行できない。ＵＥはＰＬＭＮでＲＭ−ＲＥＧＩＳＴＥＲＥＤのままであるが、ＵＥは、現在の登録エリアから移動するまで、現在の登録エリアで拒否されたＳ−ＮＳＳＡＩへの登録を再試行できない。
【００５０】
ＵＥは、以下のように（Ｓ−）ＮＳＳＡＩを記憶してよい。ＵＥが、ＰＬＭＮ用に構成されたＮＳＳＡＩ、及び／またはこの構成されたＮＳＳＡＩからＨＰＬＭＮ用に構成されたＮＳＳＡＩへの関連するマッピングでプロビジョニングされるとき、構成されたＮＳＳＡＩ（及び／または、存在する場合、関連するマッピング）は、このＰＬＭＮ用に新しく構成されたＮＳＳＡＩ、及び／または関連するマッピングがＵＥにプロビジョニングされる（またはＨＰＬＭＮ構成が変更されるとき）まで、ＵＥに記憶されてよい。ＰＬＭＮ用に新しく構成されたＮＳＳＡＩ、及び／またはこの構成されたＮＳＳＡＩからＨＰＬＭＮ用に構成されたＮＳＳＡＩへの新しい関連するマッピングでプロビジョニングされるとき、または、ＨＰＬＭＮ構成の変更によりＰＬＭＮの構成を除去するように要求されたとき、ＵＥは、このＰＬＭＮ用に記憶されている（例えば、古い）あらゆる構成済みＮＳＳＡＩを、（該当する場合）このＰＬＭＮ用に新しく構成されたＮＳＳＡＩで置き換えてよく、ＵＥは、このＰＬＭＮ用のこの古い構成済みＮＳＳＡＩからＨＰＬＭＮ用に構成されたＮＳＳＡＩへの記憶されたあらゆる関連するマッピングを削除してよく、存在し、該当する場合、この新しく構成されたＮＳＳＡＩからＨＰＬＭＮ用に構成されたＮＳＳＡＩへの関連するマッピングを記憶してよく、また、ＵＥは、あらゆる記憶されている許可されたＮＳＳＡＩ及び関連するマッピングと、このＰＬＭＮの拒否されたＳ−ＮＳＳＡＩを削除してよい。
【００５１】
ＰＬＭＮの許可されたＮＳＳＡＩとアクセスタイプ（及び、この許可されたＮＳＳＡＩからＨＰＬＭＮ用に構成されたＮＳＳＡＩへのあらゆる関連するマッピング）は、受信された場合、ＵＥに記憶されてよい。ＵＥは、この許可されたＮＳＳＡＩ、及び許可されたＮＳＳＡＩからＨＰＬＭＮ用に構成されたＮＳＳＡＩへのあらゆる関連するマッピングを記憶してよい（これは、ＵＥがオフにされたときにも保持されてよい）。
【００５２】
ＵＥは、許可されたＮＳＳＡＩ、及び許可されたＮＳＳＡＩからＨＰＬＭＮ用に構成されたＮＳＳＡＩへのあらゆる関連するマッピングを永続的に記憶してよい。
【００５３】
ＰＬＭＮ全体に対して拒否されたＳ−ＮＳＳＡＩは、受信された場合、アクセスタイプに関係なく、または削除されるまで、このＰＬＭＮでＲＭ−ＲＥＧＩＳＴＥＲＥＤの状態で、ＵＥに記憶されてよい。
【００５４】
現在の登録エリアに対して拒否されたＳ−ＮＳＳＡＩは、受信された場合、ＵＥが現在の登録エリアから移動するまで、またはＵＥが削除されるまで、ＲＭ−ＲＥＧＩＳＴＥＲＥＤの状態でＵＥに記憶されてよい。
【００５５】
ＵＥに提供される許可されたＮＳＳＡＩの１つまたは複数のＳ−ＮＳＳＡＩは、サービスを提供しているＰＬＭＮのためのＵＥのスライス構成情報の一部ではない値を有してよい。この場合、許可されたＮＳＳＡＩは、許可されたＮＳＳＡＩの各Ｓ−ＮＳＳＡＩがＨＰＬＭＮ用に構成されたＮＳＳＡＩのＳ−ＮＳＳＡＩ（複数可）にどのように対応するかに関するマッピング情報に関連付けられる。このマッピング情報は、ＵＥが、所与のアプリケーションに関して、ＵＲＳＰルール（例えば、ＴＳ２３．５０３で定義されたルールを参照）のネットワークスライス選択ポリシー（ＮＳＳＰ）に従ってＳ−ＮＳＳＡＩを許可されたＮＳＳＡＩからの対応するＳ−ＮＳＳＡＩに関連付けるのを可能にするのに十分であってよい。
【００５６】
いつでも、ＡＭＦは、構成されたＮＳＳＡＩからＨＰＬＭＮ用に構成されたＮＳＳＡＩへのマッピングに関連付けられたサービスを提供しているＰＬＭＮ用に新しく構成されたＮＳＳＡＩをＵＥに提供してよい。サービスを提供しているＰＬＭＮ用に構成されたＮＳＳＡＩ及びマッピング情報は、ＡＭＦで決定されてよい（ＡＭＦは、構成に基づいている場合、ＰＬＭＮ全体のネットワークスライス構成を決定できる）、または、ＮＳＳＦによって決定されてよい。ＡＭＦは、ＵＥ構成更新手順の一部として、新しく構成されたＮＳＳＡＩを提供してよい。
【００５７】
ＨＰＬＭＮがＨＰＬＭＮに登録されたＵＥの構成更新を実行する場合（例えば、サブスクライブされたＳ−ＮＳＳＡＩの変更のため）、これにより、ＨＰＬＭＮ用に構成されたＮＳＳＡＩが更新される場合がある。構成の更新が現在許可されているＮＳＳＡＩのＳ−ＮＳＳＡＩに影響を与える場合は、許可されたＮＳＳＡＩ、及び／または存在する場合は、許可されたＮＳＳＡＩからＨＰＬＭＮ用に構成されたＮＳＳＡＩへの関連するマッピングへの更新も起こり得る。
【００５８】
ＶＰＬＭＮが、（例えば、サブスクライブされたＳ−ＮＳＳＡＩ（複数可）の変更のため）ＶＰＬＭＮに登録されたＵＥの構成の更新を実行する場合、これにより、サービスを提供しているＰＬＭＮ用に構成されたＮＳＳＡＩ、及び／またはサービスを提供しているＰＬＭＮ用に構成されたＮＳＳＡＩからＨＰＬＭＮ用に構成されたＮＳＳＡＩへの関連するマッピングに対する更新が起こってよい。構成の更新が現在許可されているＮＳＳＡＩのＳ−ＮＳＳＡＩ（複数可）に影響を与える場合は、許可されたＮＳＳＡＩ及び／または許可されたＮＳＳＡＩからＨＰＬＭＮ用に構成されたＮＳＳＡＩへの関連するマッピングへの更新も実施されてよい。
【００５９】
サービスを提供しているＰＬＭＮ用に構成されたＮＳＳＡＩが更新され、記憶した許可されたＮＳＳＡＩを削除したＵＥは、前述のように、登録手順を開始して、新しい有効な許可されたＮＳＳＡＩを受信してよい。
【００６０】
図４は、一部の例示的な実施形態による、ネットワークノード４００のブロック図を示す。ネットワークノード４００は、例えば、図３に関して記載したように、１つまたは複数のネットワーク側動作を提供するように構成されてよい。また、モバイルワイヤレスネットワークも、同様に、複数のネットワークノード４００を有してよい。例えば、ネットワークノードは、デバイス１５２〜１８０の１つまたは複数に組み込まれてよい。
【００６１】
ネットワークノード４００は、一部の例示的な実施形態によると、ネットワークインタフェース４０２、プロセッサ４２０、及びメモリ４０４を含み得る。ネットワークインタフェース４０２は、有線及び／または無線トランシーバを含み、基地局、デバイス１５２〜１８０、インターネット、及び／または他のノードを含む他のノードへのアクセスを可能にしてよい。メモリ４０４は、プログラムコードを含む揮発性及び／または不揮発性メモリを含んでよく、少なくとも１つのプロセッサ４２０によって実行されると、とりわけ、プロセス２００、３００、４００などを含む本明細書に開示されるプロセスを提供する。
【００６２】
図５は、一部の例示的な実施形態による、装置１０のブロック図を示す。
【００６３】
装置１０は、ユーザ機器１５０などのユーザ機器を表してよい。装置１０またはその一部は、基地局／ＷＬＡＮアクセスポイントを含む他のネットワークノード、ならびに他のネットワークノード（例えば、デバイス１５２〜１８４）で実装されてよい。
【００６４】
装置１０は、送信機１４及び受信機１６と通信する少なくとも１つのアンテナ１２を含み得る。あるいは、送信アンテナと受信アンテナは分離されてよい。装置１０はまた、送信機及び受信機のそれぞれと信号を送受信するように、また、装置の機能を制御するように構成されたプロセッサ２０を含み得る。プロセッサ２０は、送信機及び受信機への電気リードを介して制御信号を発することによって、送信機及び受信機の機能を制御するように構成されてよい。同様に、プロセッサ２０は、プロセッサ２０をディスプレイまたはメモリなどの他の要素に接続する電気リードを介して制御信号を発することによって、装置１０の他の要素を制御するように構成されてよい。プロセッサ２０は、例えば、回路、少なくとも１つの処理コア、付属のデジタル信号プロセッサ（複数可）を備えた１つまたは複数のマイクロプロセッサ、付属のデジタル信号プロセッサを備えていない１つまたは複数のプロセッサ、１つまたは複数のコプロセッサ、１つまたは複数のマルチコアプロセッサ、１つまたは複数のコントローラ、処理回路、１つまたは複数のコンピュータ、集積回路（例えば、特定用途向け集積回路（ＡＳＩＣ）、フィールドプログラマブルゲートアレイ（ＦＰＧＡ）など）を含む様々な他の処理要素、またはこれらの幾つかの組み合わせを含む様々な方法で具体化されてよい。したがって、図５には、単一のプロセッサとして示されているが、一部の例示的な実施形態では、プロセッサ２０は、複数のプロセッサまたは処理コアを含み得る。
【００６５】
装置１０は、１つまたは複数のエアインタフェース規格、通信プロトコル、変調タイプ、アクセスタイプなどで動作することができてよい。プロセッサ２０によって送受信される信号は、適用可能なセルラーシステムのエアインタフェース規格、及び／または電気電子技術者協会（ＩＥＥＥ）８０２．１１、８０２．１６、８０２．３、ＡＤＳＬ、ＤＯＣＳＩＳなどのＷｉ−Ｆｉ、ワイヤレスローカルアクセスネットワーク（ＷＬＡＮ）技術を含むがこれらに限定されない任意の数の異なる有線または無線ネットワーク技術に従った信号情報を含み得る。さらに、これらの信号は、音声データ、ユーザ生成データ、ユーザ要求データなどを含み得る。
【００６６】
例えば、装置１０及び／またはその中のセルラーモデムは、様々な第１世代（１Ｇ）通信プロトコル、第２世代（２Ｇまたは２．５Ｇ）通信プロトコル、第３世代（３Ｇ）通信プロトコル、第４世代（４Ｇ）通信プロトコル、第５世代（５Ｇ）通信プロトコル、インターネットプロトコルマルチメディアサブシステム（ＩＭＳ）通信プロトコル（例えば、セッション開始プロトコル（ＳＩＰ））などに従って動作可能であってよい。例えば、装置１０は、２Ｇ無線通信プロトコルＩＳ−１３６、時分割多元接続（ＴＤＭＡ）、移動体通信用グローバルシステム、ＧＳＭ、ＩＳ−９５、符号分割多元接続（ＣＤＭＡ）などに従って動作可能であってよい。さらに、例えば、装置１０は、２．５Ｇ無線通信プロトコルの汎用パケット無線サービス（ＧＰＲＳ）、拡張データＧＳＭ環境（ＥＤＧＥ）などに従って動作可能であってよい。さらに、例えば、装置１０は、ユニバーサルモバイルテレコミュニケーションシステム（ＵＭＴＳ）、符号分割多元接続２０００（ＣＤＭＡ２０００）、広帯域符号分割多元接続（ＷＣＤＭＡ）、時分割同期符号分割多元接続（ＴＤ−ＳＣＤＭＡ）など、３Ｇ無線通信プロトコルに従って動作可能であってよい。装置１０はさらに、ロングタームエボリューション（ＬＴＥ）、進化型ユニバーサル地上無線アクセスネットワーク（Ｅ−ＵＴＲＡＮ）など、３．９Ｇ無線通信プロトコルに従って動作可能であってよい。さらに、例えば、装置１０は、ＬＴＥ  Ａｄｖａｎｃｅｄ、５Ｇなどの４Ｇ無線通信プロトコル、ならびにその後に開発され得る同様の無線通信プロトコルに従って動作可能であってよい。
【００６７】
プロセッサ２０は、装置１０のオーディオ／ビデオ及び論理機能を実装するための回路を含み得ることが理解される。例えば、プロセッサ２０は、デジタル信号プロセッサデバイス、マイクロプロセッサデバイス、アナログ−デジタル変換器、デジタル−アナログ変換器などを含み得る。装置１０の制御及び信号処理機能は、デバイスの各能力に従ってデバイス間に割り当てられてよい。プロセッサ２０は、内部音声コーダ（ＶＣ）２０ａ、内部データモデム（ＤＭ）２０ｂなどをさらに備えてよい。さらに、プロセッサ２０は、メモリに記憶され得る１つまたは複数のソフトウェアプログラムを動作させる機能を含み得る。一般に、プロセッサ２０及び記憶されたソフトウェア命令は、装置１０にアクションを実行させるように構成されてよい。例えば、プロセッサ２０は、ウェブブラウザなどの接続プログラムを操作可能であってよい。接続プログラムは、装置１０が、ワイヤレスアプリケーションプロトコル、ＷＡＰ、ハイパーテキスト転送プロトコル、ＨＴＴＰなどのプロトコルに従って、ロケーションベースのコンテンツなどのウェブコンテンツを送受信することを可能にし得る。
【００６８】
装置１０はまた、例えば、イヤホンまたはスピーカ２４、リンガ２２、マイクロフォン２６、ディスプレイ２８、ユーザ入力インタフェースなどを含むユーザインタフェースを備えてよく、これらは、プロセッサ２０に動作可能に結合されてよい。ディスプレイ２８は、上記のように、タッチセンシティブディスプレイを含んでよく、ユーザは、タッチ及び／またはジェスチャによって、選択、値の入力などを行ってよい。プロセッサ２０はまた、スピーカ２４、リンガ２２、マイクロフォン２６、ディスプレイ２８などのユーザインタフェースの１つまたは複数の要素の少なくとも一部の機能を制御するように構成されたユーザインタフェース回路を含んでよい。プロセッサ２０及び／またはプロセッサ２０を含むユーザインタフェース回路は、プロセッサ２０がアクセス可能なメモリ、例えば、揮発性メモリ４０、不揮発性メモリ４２などに記憶されたコンピュータプログラム命令、例えば、ソフトウェア及び／またはファームウェアを介して、ユーザインタフェースの１つまたは複数の要素の１つまたは複数の機能を制御するように構成されてよい。装置１０は、移動端末に関連する様々な回路、例えば、検出可能な出力として機械的振動を提供する回路に電力を供給するための電池を含み得る。ユーザ入力インタフェースは、キーパッド３０（ディスプレイ２８に提示される仮想キーボードまたは外部結合キーボードであってよい）及び／または他の入力デバイスなどの、装置２０がデータを受信することを可能にするデバイスを含み得る。
【００６９】
図５に示すように、装置１０はまた、データを共有及び／または取得するための１つまたは複数の機構を含み得る。例えば、装置１０は、短距離無線周波数（ＲＦ）トランシーバ及び／または質問器６４を含んでよく、その結果、データは、ＲＦ技術に従って、電子デバイスと共有されてよい、及び／または電子デバイスから取得されてよい。装置１０は、赤外線（ＩＲ）トランシーバ６６、ブルートゥース（商標）無線技術を使用して動作するブルートゥース（商標）（ＢＴ）トランシーバ６８、ワイヤレスユニバーサルシリアルバス（ＵＳＢ）トランシーバ７０、ブルーストゥース（商標）低エネルギートランシーバ、ＺｉｇＢｅｅトランシーバ、ＡＮＴトランシーバ、セルラーデバイス間トランシーバ、ワイヤレスローカルエリアリンクトランシーバ、及び／または任意の他の短距離無線技術などの、他の短距離トランシーバを含み得る。装置１０、特に、短距離トランシーバは、例えば１０メートル以内など、装置の近くにある電子デバイスにデータを送信し、及び／または電子デバイスからデータを受信することができてよい。Ｗｉ−Ｆｉまたはワイヤレスローカルエリアネットワークモデムを含む装置１０はまた、６ＬｏＷｐａｎ、Ｗｉ−Ｆｉ、Ｗｉ−Ｆｉ低電力、ＩＥＥＥ８０２．１１技術、ＩＥＥＥ８０２．１５技術、ＩＥＥＥ８０２．１６技術などＷＬＡＮ技術を含む様々なワイヤレスネットワーク技術に従って、電子デバイスからデータを送信及び／または受信することができてよい。
【００７０】
装置１０は、加入者識別モジュール（ＳＩＭ）３８、リムーバブルユーザ識別モジュール（Ｒ−ＵＩＭ）、ｅＵＩＣＣ、ＵＩＣＣなどの、メモリを含んでよく、これらは、モバイル加入者に関連する情報要素を記憶してよい。ＳＩＭに加えて、装置１０は、他の取り外し可能及び／または固定メモリを含み得る。装置１０は、揮発性メモリ４０及び／または不揮発性メモリ４２を含み得る。例えば、揮発性メモリ４０は、動的及び／または静的ＲＡＭ、オンチップまたはオフチップキャッシュメモリなどを含むランダムアクセスメモリ（ＲＡＭ）を含み得る。埋め込み型及び／または取り外し可能であり得る不揮発性メモリ４２は、例えば、読み取り専用メモリ、フラッシュメモリ、磁気記憶装置、例えば、ハードディスク、フロッピーディスクドライブ、磁気テープ、光ディスクドライブ、及び／または媒体、不揮発性ランダムアクセスメモリ（ＮＶＲＡＭ）などを含み得る。揮発性メモリ４０と同様に、不揮発性メモリ４２は、データの一時的な記憶のためのキャッシュ領域を含み得る。揮発性及び／または不揮発性メモリの少なくとも一部は、プロセッサ２０に埋め込まれてよい。メモリは、本明細書に開示される操作を実行するために装置によって使用され得る１つまたは複数のソフトウェアプログラム、命令、情報、データなどを記憶してよい。代替的または追加的に、装置は、基地局／ＷＬＡＮアクセスポイント及びＵＥを含むネットワークノードに関して本明細書に開示される動作を引き起こすように構成されてよい。
【００７１】
メモリは、装置１０を一意に識別することができる、国際移動機器識別（ＩＭＥＩ）コードなどの識別子を含み得る。例示的な実施形態では、プロセッサ２０は、メモリ４０及び／または４２に記憶されたコンピュータコードを使用して構成されて、基地局／ＷＬＡＮアクセスポイント及びＵＥを含むネットワークノードに関して本明細書に開示される動作を提供してよい（例えば、プロセス２００及び／または３００を参照）。
【００７２】
本明細書に開示される実施形態の一部は、ソフトウェア、ハードウェア、アプリケーションロジック、またはソフトウェア、ハードウェア、及びアプリケーションロジックの組み合わせで実装されてよい。ソフトウェア、アプリケーションロジック、及び／またはハードウェアは、例えば、メモリ４０、制御装置２０、または電子部品上に常駐してよい。一部の例示的な実施形態では、アプリケーションロジック、ソフトウェア、または命令セットは、様々な従来のコンピュータ可読媒体のいずれか１つで維持される。本文書の文脈において、「コンピュータ可読媒体」は、コンピュータまたはデータプロセッサ回路などの、命令実行システム、装置、またはデバイスによって、またはそれらに関連して使用するための命令を含み、記憶し、通信し、伝播し、または送信することができる任意の非一時的媒体であってよく、図５に示す例では、コンピュータ可読媒体は、コンピュータなどの命令実行システム、装置、またはデバイスによって、またはそれらに関連して使用するための命令を含むまたは記憶することができる任意の媒体であり得る非一時的なコンピュータ可読記憶媒体を含んでよい。
【００７３】
以下に示す特許請求の範囲、解釈、または適用を決して制限することなく、本明細書に開示される例示的な実施形態の１つまたは複数の技術的効果は、改善されたＵＥ構成であってよい。
【００７４】
本明細書に記載の主題は、所望の構成に応じて、システム、装置、方法、及び／または物品に具体化されてよい。例えば、基地局及びユーザ機器（またはその中の１つまたは複数のコンポーネント）及び／または本明細書に記載のプロセスは、プログラムコードを実行するプロセッサ、特定用途向け集積回路（ＡＳＩＣ）、デジタル信号プロセッサ（ＤＳＰ）、組み込みプロセッサ、フィールドプログラマブルゲートアレイ（ＦＰＧＡ）、及び／またはこれらの組み合わせのうちの１つまたは複数を使用して実装することができる。これらの様々な実施態様は、データ及び命令の送受信のために、ストレージシステム、少なくとも１つの入力装置、及び、少なくとも１つの出力装置に結合された、専用または汎用目的であってよい少なくとも１つのプログラム可能なプロセッサを含むプログラム可能なシステム上で実行可能及び／または解釈可能な１つまたは複数のコンピュータプログラムでの実装を含み得る。これらのコンピュータプログラム（プログラム、ソフトウェア、ソフトウェアアプリケーション、アプリケーション、コンポーネント、プログラムコード、またはコードとしても知られる）は、プログラム可能なプロセッサのための機械命令を含み、かつ高水準手続き型及び／またはオブジェクト指向プログラミング言語、及び／またはアセンブリ／機械言語で実装されてよい。本明細書で使用される場合、「コンピュータ可読媒体」という用語は、機械命令を受信する機械可読媒体を含む、機械命令及び／またはデータをプログラム可能プロセッサに提供するために使用される任意のコンピュータプログラム製品、機械可読媒体、コンピュータ可読媒体、装置、及び／またはデバイス（例えば、磁気ディスク、光ディスク、メモリ、プログラム可能論理回路（ＰＬＤ））を指す。同様に、プロセッサ及びプロセッサに結合されたメモリを含み得るシステムも本明細書に記載されている。メモリは、プロセッサに本明細書に記載の動作の１つまたは複数を実行させる１つまたは複数のプログラムを含み得る。
【００７５】
幾つかの変形形態を上記に記載したが、他の修正または追加も可能である。特に、本明細書に記載されたものに加えて、さらなる特徴及び／または変形が提供され得る。さらに、上記の実施態様は、開示された特徴の様々な組み合わせ及びサブコンビネーション、及び／または上記に開示された幾つかのさらなる特徴の組み合わせ及びサブコンビネーションを対象としてよい。他の実施形態は、以下の特許請求の範囲内にあってよい。
【００７６】
必要に応じて、本明細書で論じられる異なる機能は、異なる順序で、及び／または互いに同時に実行されてよい。さらに、必要に応じて、上記の機能の１つまたは複数は、任意であるか、または組み合わされてよい。実施形態の一部の様々な態様は、独立請求項に記載されているが、実施形態の一部の他の態様は、特許請求の範囲に明示的に記載されている組み合わせだけではなく、記載した実施形態及び／または従属請求項の特徴と独立請求項の特徴との他の組み合わせを含む。上記は例示的な実施形態を記載しているが、本明細書では、これらの記載は限定的な意味で見なされるべきではないことにも留意されたい。むしろ、添付の特許請求の範囲で規定される実施形態の一部の範囲から逸脱することなく行うことができる幾つかの変形及び修正が存在する。他の実施形態は、以下の特許請求の範囲内にあってよい。「に基づいて」という用語には、「少なくともに基づいて」が含まれる。「など」の句の使用は、特に明記しない限り、「例えば、など」を意味する。
【図１】
2021525037.tif 000003
【図２】
2021525037.tif 000004
【図３】
2021525037.tif 000005
【図４】
2021525037.tif 000006
【図５】
2021525037.tif 000007
【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
方法であって、
ユーザ機器において、前記ユーザ機器のホームネットワークが、前記ユーザ機器についての、前記ホームネットワークに記憶された第１のネットワークスライス構成情報に変更を加えるかどうかに関するインディケーションを受信することであって、前記第１のネットワークスライス構成情報は、前記ユーザ機器に関連付けられていることと、
受信されたインディケーションが前記変更を表すとき、前記ユーザ機器に現在サービスを提供している訪問先ネットワークに関連付けられた１つ以上のネットワークスライス構成に関する第２のネットワークスライス構成情報と、１つ以上の他の訪問先ネットワークに関連付けられた１つ以上のネットワークスライス構成に関する他のネットワークスライス構成情報とを削除することであって、前記第２のネットワークスライス構成情報及び前記他のネットワークスライス構成情報は、前記ユーザ機器に記憶されていることと、
を備える、方法。
【請求項２】
前記ホームネットワークに記憶された第１のネットワークスライス構成情報は、前記ユーザ機器に記憶された第２のネットワークスライス構成情報及び前記他のネットワークスライス構成情報とは異なる、請求項１に記載の方法。
【請求項３】
前記削除することは、前記受信されたインディケーションが前記変更を表すとき、前記ユーザ機器に記憶された第３のネットワークスライス構成情報を削除することを備え、前記第３のネットワークスライス構成情報は、前記ユーザ機器のホームネットワークに関連付けられている、請求項１または２に記載の方法。
【請求項４】
前記ユーザ機器において、前記インディケーションを含むか、または前記インディケーションと共に、更新されたネットワークスライス構成情報を受信すること
をさらに備える、請求項１〜３のいずれか一項に記載の方法。
【請求項５】
前記ユーザ機器に記憶された、前記第２のネットワークスライス構成情報及び前記他のネットワークスライス構成情報のうちの少なくとも１つは、少なくとも１つのネットワークスライス識別子を含む、請求項１〜４のいずれか一項に記載の方法。
【請求項６】
前記削除することは、少なくとも前記ユーザ機器に現在サービスを提供している訪問先ネットワークについての更新されたネットワークスライス構成情報を取得することを可能にする、請求項１〜５のいずれか一項に記載の方法。
【請求項７】
前記ホームネットワークに関連付けられた変更を表すインディケーションが受信されるとき、削除されたネットワークスライス構成情報を置き換えるために、少なくとも１つの他の訪問先ネットワークの更新されたネットワークスライス構成情報を受信すること
をさらに備える、請求項１〜６のいずれか一項に記載の方法。
【請求項８】
受信されたネットワークスライス構成情報を取得した後、更新されたユーザ機器ルート及びアクセス選択ポリシーが受信されるまで、前記更新されたネットワークスライス構成情報を取得するための登録を実行することを待つこと
をさらに備える、請求項７に記載の方法。
【請求項９】
前記ユーザ機器のホームネットワークに関連付けられた変更を表すインディケーションが受信されるとき、前記ユーザ機器に現在サービスを提供している訪問先ネットワークについての、前記ユーザ機器に記憶されている第２のネットワークスライス構成情報を更新し、且つ、前記１つ以上の他の訪問先ネットワークについての、前記ユーザ機器に記憶されている他のネットワークスライス構成情報を更新することと、
前記ユーザ機器のホームネットワークに関連付けられた変更を表すインディケーションが全く受信されないとき、前記ユーザ機器に現在サービスを提供している訪問先ネットワークについての、前記ユーザ機器に記憶された第２のネットワークスライス構成情報のみを更新することと、
をさらに備える、請求項１〜８のいずれか一項に記載の方法。
【請求項１０】
前記インディケーションが、前記ホームネットワークが、前記ユーザ機器に現在サービスを提供している訪問先ネットワークに、前記ホームネットワーク内の変更が前記訪問先ネットワーク内で前記ユーザ機器を構成するために考慮に入れられることになると示すことを表す、請求項１〜９のいずれか一項に記載の方法。
【請求項１１】
装置であって、
少なくとも１つのプロセッサと、
コンピュータプログラムコードを含む少なくとも１つのメモリであって、前記少なくとも１つのメモリ及び前記コンピュータプログラムコードは、前記少なくとも１つのプロセッサと共に、前記装置に少なくとも請求項１〜１０のいずれか一項に記載の方法を実行させるように構成される、メモリと、
を備える、装置。
【請求項１２】
実行されるとき、請求項１〜１０のいずれか一項に記載の方法を備える操作を引き起こすプログラムコードを含む非一時的コンピュータ可読媒体。
【請求項１３】
方法であって、
ユーザ機器についての、ホームネットワークに記憶された第１のネットワークスライス構成情報に変更が加えられたことを判定することであって、前記第１のネットワークスライス構成情報は、前記ユーザ機器に関連付けられていることと、
前記ユーザ機器に、前記ユーザ機器についての、前記ホームネットワークに記憶された第１のネットワークスライス構成情報に前記変更が加えられたことに関するインディケーションを提供することと、
を備える、方法であり、
前記インディケーションは、前記ユーザ機器に、前記ユーザ機器に現在サービスを提供している訪問先ネットワークに関連付けられた１つ以上のネットワークスライス構成に関する第２のネットワークスライス構成情報を削除させるように動作可能であり、且つ、前記ユーザ機器に、１つ以上の他の訪問先ネットワークに関連付けられた１つ以上のネットワークスライス構成に関する他のネットワークスライス構成情報を削除させるように動作可能であり、前記第２のネットワークスライス構成情報及び前記他のネットワークスライス構成情報は、前記ユーザ機器に記憶されている、方法。
【請求項１４】
前記ホームネットワークに記憶された第１のネットワークスライス構成情報への変更のインディケーションと共に、前記ユーザ機器に現在サービスを提供している訪問先ネットワーク及び前記１つ以上の他の訪問先ネットワークのうちの１つ以上に関連付けられた更新されたネットワークスライス構成情報を前記ユーザ機器に提供すること
をさらに備える、請求項１３に記載の方法。
【請求項１５】
装置であって、
少なくとも１つのプロセッサと、
コンピュータプログラムコードを含む少なくとも１つのメモリであって、前記少なくとも１つのメモリ及び前記コンピュータプログラムコードは、前記少なくとも１つのプロセッサと共に、前記装置に請求項１３または１４のどちらかに記載の方法を実行させるように構成される、メモリと、
を備える、装置。
【請求項１６】
実行されるとき、請求項１３または１４のどちらかに記載の方法を備える操作を引き起こすプログラムコードを含む非一時的コンピュータ可読媒体。
【国際調査報告】
2021525037.tif 000008
2021525037.tif 000009
2021525037.tif 000010